(57)【要約】　　　（修正有）【課題】襟や袖口が容易に着脱・交換できるシャツの提供。【解決手段】この考案のシャツは、垂直襟１を有し、袖口のない袖２を有するシャツ３において、垂直襟１の内側に雄又は雌型の面ファスナ−を取付け、袖２の先端部の外周部に雄又は雌型の面ファスナ−４’を取付けてなるシャツ本体Ａと、垂直襟１の雄又は雌型の面ファスナ−に嵌着する雌又は雄型の面ファスナ−を芯の外側に取付けてなる襟と、袖２の雄又は雌型の面ファスナ−４’に嵌着する雌又は雄型の面ファスナ−を後端部の内側に取付けてなる袖口とから構成されているので、襟や袖口のシャツ本体Ａへの着脱及び交換が容易にできる。【選択図】図２
0003099510.tif 000002
【実用新案登録請求の範囲】
【請求項１】
垂直襟（１）を有し、袖口のない袖（２）を有するシャツ（３）において、前記垂直襟（１）の内側に雄又は雌型の面ファスナ−（４）を取付け、前記袖（２）の先端部の外周部に雄又は雌型の面ファスナ−（４’）を取付けてなるシャツ本体（Ａ）と、前記垂直襟（１）の雄又は雌型の面ファスナ−（４）に嵌着する雌又は雄型の面ファスナ−（４ａ）を芯（５）の外側に取付けてなる襟（Ｂ）と、前記袖（２）の雄又は雌型の面ファスナ−（４’）に嵌着する雌又は雄型の面ファスナ−（４’ａ）を後端部の内側に取付けてなる袖口（Ｃ）とからなることを特徴とするシャツ
【考案の詳細な説明】
【技術分野】
【０００１】
本考案は、襟及び袖口が着脱・交換可能なシャツに関するものである。
【背景技術】
【０００２】
従来のシャツでは、縫製等の手段によって、シャツ本体に襟と袖口が一体的に取付けられていたので、次のような問題点があった。
【０００３】
（１）襟と袖口は、肌に直に接触するので、汚れが激しく、襟と袖口を除くシャツ本体の汚れがなくても、襟と袖口の汚れのために、洗濯したり、クリ−ニングに出さなければならなかった。
（２）襟と袖口は、肌に直に接触するので、摩耗による損傷が激しく、襟又は袖口が擦り切れて破損すると、襟と袖口を除くシャツ本体に損傷がなく、まだ十分に着用できる状態であっても、廃棄していたので、不経済であった。
（３）襟や袖口の形状、色、柄模様等の異なるシャツを着用したい場合には、好みにあった襟や袖口の形状、色、柄模様のシャツをそれぞれ個別に購入しなければならなかったので、不経済であった。
【考案の開示】
【考案が解決しようとする課題】
【０００４】
この考案は、背景技術で記述した問題点を解消するためになされたもので、襟や袖口が容易に着脱・交換できるシャツの提供を目的とするものである。
【課題を解決するための手段】
【０００５】
この考案のシャツは、垂直襟を有し、袖口のない袖を有するシャツにおいて、前記垂直襟の内側に雄又は雌型の面ファスナ−を取付け、前記袖の先端部の外周部に雄又は雌型の面ファスナ−を取付けてなるシャツ本体と、前記垂直襟の雄又は雌型の面ファスナ−に嵌着する雌又は雄型の面ファスナ−を芯の外側に取付けてなる襟と、前記袖の雄又は雌型の面ファスナ−に嵌着する雌又は雄型の面ファスナ−を後端部の内側に取付けてなる袖口とからなることを特徴とするものである。
【考案の効果】
【０００６】
この考案のシャツは、面ファスナ−を嵌着させる簡単な操作によって、襟及び袖口をシャツ本体に着脱・交換が可能なように構成されているので、次のような効果を奏する。
（１）襟や袖口が汚れた場合には、襟や袖口をシャツ本体から取り外し、襟や袖口だけを洗濯したり、クリ−ニングに出すだけでよいので、経済的である。
（２）襟や袖口が、摩耗し破損した場合には、襟又は袖口だけを交換するだけでよいので、経済的である。
（３）好みにあった形状、色、柄模様の襟や袖口だけを適宜枚数準備しておくだけで、その日の気分、環境、雰囲気等に合うように、襟や袖口を選択し、好みのシャツに仕上げることができるので、爽快感を満喫できるとともに、シャツ本体は必要最小枚数だけを準備しておけばよいので、経済的である。
（４）手先の力が弱い人や高年齢者にとっては、ボタン止めやホック止め等の作業は難易度が高く敬遠されがちであるが、本考案のシャツは面ファスナ−を重ね合わせるという極めて簡単で、かつ単純な作業によって襟や袖口を装着できるので、手先の力が弱い人や高年齢者にも適している。
（５）面ファスナ−はボタンやホックのように、局部的に凹凸になる箇所を生じないので、特に、肌に触れる襟は着心地がよい。
【考案を実施するための最良の形態】
【０００７】
襟及び袖口をシャツ本体に着脱・交換させる手段として、面ファスナ−を使用し、着心地を損なわないシャツを実現した。
【実施例】
【０００８】
本考案の実施の一例を図面を参照しながら説明する。図１に示すように、垂直襟１を有し、袖口のない袖２を有するシャツ３において、図２に示すように、垂直襟１の内側に雄又は雌型の面ファスナ−４を取付け、袖２の先端部の外周部に雄又は雌型の面ファスナ−４’を取付けシャツ本体Ａを構成している。
【０００９】
なお、雄又は雌型の面ファスナ−４，４’は、縫製又は接着剤等によって、垂直襟１の内側又は袖２の先端部の外周部に取付けられる。
【００１０】
襟Ｂは、図３に示すように、垂直襟１の雄又は雌型の面ファスナ−４に嵌着する雌又は雄型の面ファスナ−４ａを芯５の外側に取付けて構成される。
【００１１】
垂直襟１に雄型の面ファスナ−４を取付けた場合には、襟Ｂの芯５には、雌型の面ファスナ−４ａが取付けられる。したがって、垂直襟１の面ファスナ−４に、襟Ｂの面ファスナ−４ａを重ね合わせ、双方を嵌着させると、襟Ｂの首筋の肌に触る領域には、面ファスナ−４ａの露出はなく、かつ平滑であるので、着心地を損なうことはない。
【００１２】
なお、襟Ｂのヒレの形状、色、柄模様、生地等は、好みに合わせて自由に変えることができる。
【００１３】
袖口Ｃは、図４に示すように、袖２の雄又は雌型の面ファスナ−４’に嵌着する雌又は雄型の面ファスナ−４’ａを後端部の内側に取付けて構成される。
【００１４】
袖２に雄型の面ファスナ−４’を取付けた場合には、袖口Ｃには、雌型の面ファスナ−４ａ’が取付けられる。したがって、袖２の面ファスナ−４’に袖口Ｃの面ファスナ−４ａ’を重ね合わせ、双方を嵌着させると、袖口Ｃの外面には、面ファスナ−４ａ’が露出しないので、見栄えを損なうことはない。
なお、袖口Ｃの形状、色、柄模様、生地等は、好みに合わせて自由に変えることができる。
【００１５】
既製品のシャツであれば、規格が統一されているので、その規格に合わせて、襟Ｂや袖口Ｃを準備しておけば、互換性があるので、シャツ本体Ａに装着する際に、不具合が生じるということはない。
【産業上の利用可能性】
【００１６】
襟Ｂと袖口Ｃが着脱・交換可能であるので、局部的汚れ部分だけの洗濯又はクリ−ニングによって経費節減を計りたいような用途、局部的損傷箇所のみを交換し、経費節減を計りたいような用途、または襟Ｂや袖口Ｃを好みに合わせて、適宜交換することにより、ファッション性を拡大させたいような用途に適用できる。
【図面の簡単な説明】
【００１７】
【図１】面ファスナ−を取付ける前のシャツの概略斜視図。
【図２】シャツ本体の概略斜視図
【図３】襟の背面図
【図４】袖口の展開図
【符号の説明】
【００１８】
１ 垂直襟
２袖
３シャツ
４，４ａ，４’，４ａ’ 雄又は雌型面ファスナ−
５襟の芯
Ａシャツ本体
Ｂ襟
Ｃ袖口
【図１】
0003099510.tif 000003
【図２】
0003099510.tif 000004
【図３】
0003099510.tif 000005
【図４】
0003099510.tif 000006